(57)【要約】【課題】長手方向端部における非発光部長さを短くできるとともに組立作業を容易化できる照明装置を提供する。【解決手段】照明装置１０は、両端に第１開口および第２開口を有し、透光部を有する長尺筒状の筐体１２と、筐体１２内に収容され、表面に複数の発光部がそれぞれ実装された長尺状の第１基板３０ａおよび第２基板３０ｂと、第１基板３０ａの発光部３２と電気的に接続された第１コネクタ１８が設けられる第１蓋部材１４ａと、第２基板３０ｂの発光部３２と電気的に接続された第２コネクタ２０が設けられる第２蓋部材１４ｂとを備える。第１及び第２基板３０ａ，３０ｂは、第１及び第２蓋部材１４ａ，１４ｂとは反対側に位置する端部に第１及び第２端子部３８，４０をそれぞれ有し、第１及び第２端子部３８，４０が連結されることによって電気的に接続されている。【選択図】図３
2018137190.tif 000002
【特許請求の範囲】
【請求項１】
両端に第１開口及び第２開口を有し、透光部を有する長尺筒状の筐体と、
前記筐体内に収容され、表面に複数の発光部がそれぞれ実装された長尺状の第１基板及び第２基板と、
前記第１開口を塞いだ状態で前記筐体に固定され、前記第１基板の発光部と電気的に接続された第１コネクタが設けられる第１蓋部材と、
前記第２開口を塞いだ状態で前記筐体に固定され、前記第２基板の発光部と電気的に接続された第２コネクタが設けられる第２蓋部材と、を備え、
前記第１及び第２基板は、前記第１及び第２蓋部材とは反対側に位置する端部に第１及び第２端子部をそれぞれ有し、前記第１及び第２端子部が連結されることによって電気的に接続されている、
照明装置。
【請求項２】
前記第１及び第２端子部は、それぞれ一対の端子で構成され、前記発光部を挟んで前記第１及び第２基板の幅方向両側に配置されている、請求項１に記載の照明装置。
【請求項３】
前記第１及び第２蓋部材の少なくとも一方は、前記第１及び第２基板の少なくとも一方の端部を長手方向に押圧する弾性付勢部を有する、請求項１または２に記載の照明装置。
【請求項４】
両端に第１開口及び第２開口を有し、透光部を有する長尺状の筐体、表面に複数の発光部がそれぞれ実装された長尺状の第１基板及び第２基板、前記第１基板の発光部と電気的に接続された第１コネクタが設けられる第１蓋部材、及び、前記第２基板の発光部と電気的に接続された第２コネクタが設けられる第２蓋部材を準備する準備工程と、
前記第１コネクタとは反対側の前記第１基板の端部を前記第１開口から前記筐体内に挿入する第１基板挿入工程と、
前記第２コネクタとは反対側の前記第２基板の端部を前記第２開口から前記筐体内に挿入する第２基板挿入工程と、
前記筐体内において、前記第１基板の端部に設けた第１端子部と、前記第２基板の端部に設けた第２端子部とを電気的に接続する接続工程と、
を含む、照明装置の製造方法。
【発明の詳細な説明】
【技術分野】
【０００１】
本開示は、照明装置に関する。
【背景技術】
【０００２】
従来、特許文献１には、照明器具を複数連結して、所望の長さの照明装置を構成することが記載されている。この照明器具は、発光素子を搭載した長尺状の回路基板と、回路基板の両端部に取り付けられた一対のコネクタとを有する。一対のコネクタは、一方がオス型コネクタで、他方がメス型コネクタで構成される。また、回路基板は、長尺状の透明な樹脂チューブ内に挿入配置され、この樹脂チューブの両端部に上記一対のコネクタが配置される。
【先行技術文献】
【特許文献】
【０００３】
【特許文献１】特開２０１４−２０３８２１号公報
【発明の概要】
【発明が解決しようとする課題】
【０００４】
上記特許文献１に記載される照明器具では、一端部に一方のコネクタを取り付けた回路基板の他端部を樹脂チューブの一端開口から挿入し、樹脂チューブの他端開口近傍まで到達した回路基板の他端部に他方のコネクタを取り付けることにより組み立てられる。しかし、回路基板の他端部が扁平な樹脂チューブの開口部内側に位置する場合、作業スペースが狭いためコネクタの取付作業は容易ではない。他方、回路基板の他端部が樹脂チューブの他端開口から突出する基板長さに設定されていればコネクタ取付作業は容易になるが、その分、照明器具の長手方向におけるコネクタ長さ、すなわち、非発光部長さが長くなってしまう。
【０００５】
本開示の目的は、組立作業が容易になるとともに、長手方向端部の非発光部長さを短くすることができる照明装置を提供することにある。
【課題を解決するための手段】
【０００６】
本開示の一態様である照明装置は、両端に第１開口および第２開口を有し、透光部を有する長尺筒状の筐体と、前記筐体内に収容され、表面に複数の発光部がそれぞれ実装された長尺状の第１基板および第２基板とを備える。また、照明装置は、前記第１開口を塞いだ状態で前記筐体に固定され、前記第１基板の発光部と電気的に接続された第１コネクタが設けられる第１蓋部材と、前記第２開口を塞いだ状態で前記筐体に固定され、前記第２基板の発光部と電気的に接続された第２コネクタが設けられる第２蓋部材とを備える。前記第１及び第２基板は、前記第１及び第２蓋部材とは反対側に位置する端部に第１及び第２端子部を有し、前記第１及び第２端子部が連結されることによって電気的に接続されている。
【０００７】
本開示の別の態様である照明装置の製造方法は、両端に第１開口および第２開口を有し、透光部を有する長尺状の筐体、表面に複数の発光部がそれぞれ実装された長尺状の第１基板および第２基板、前記第１基板の発光部と電気的に接続された第１コネクタが設けられる第１蓋部材、および、前記第２基板の発光部と電気的に接続された第２コネクタが設けられる第２蓋部材を準備する準備工程を含む。また、本製造方法は、前記第１コネクタとは反対側の前記第１基板の端部を前記第１開口から前記筐体内に挿入する第１基板挿入工程と、前記第２コネクタとは反対側の前記第２基板の端部を前記第２開口から前記筐体内に挿入する第２基板挿入工程とを含む。そして、本製造方法は、前記筐体内において、前記第１基板の端部に設けた第１端子部と、前記第２基板の端部に設けた第２端子部とを電気的に接続する接続工程を更に含む。
【発明の効果】
【０００８】
本開示に係る照明装置及びその製造方法によれば、長尺状の照明装置の長手方向端部における基板へのコネクタ組付け作業を省略できるため、照明装置の組立作業が容易になるとともに、照明装置の端部の非発光部長さを短くできる。
【図面の簡単な説明】
【０００９】
【図１】本開示の一実施形態である照明装置を一端方向から見た斜視図である。
【図２】図１の照明装置を他端方向から見た斜視図である。
【図３】図１の照明装置に含まれる筐体のカバー面を取り除いた状態で示す斜視図である。
【図４】蓋材を示す拡大斜視図である。
【図５】筐体に第１及び第２基板が挿入される様子を示す図である。
【図６】照明装置の製造方法を示すフローチャートである。
【図７】弾性付勢部を備えた蓋部材の拡大斜視図である。
【図８】図７の蓋部材の弾性付勢部が基板端部を押圧した状態を示す図である。
【発明を実施するための形態】
【００１０】
以下に、本開示に係る実施の形態について添付図面を参照しながら詳細に説明する。この説明において、具体的な形状、材料、数値、方向等は、本開示の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１１】
図１は、本開示の一実施形態である照明装置１０を一端方向から見た斜視図である。図２は、図１の照明装置１０を他端方向から見た斜視図である。図１及び図２（図３、図５も同様）において、照明装置１０の長手方向が矢印Ｘで、短手方向または幅方向が矢印Ｙで、厚さ方向が矢印Ｚでそれぞれ示されている。各方向Ｘ，Ｙ，Ｚは、互いに直交する方向である。
【００１２】
図１及び図２に示すように、本実施形態の照明装置１０は、筐体１２と、第１蓋部材１４ａ及び第２蓋部材１４ｂとを備える。筐体１２は、長手方向Ｘから見たとき、扁平な長方形の側面形状を有する長尺筒状に形成されている。筐体１２は、カバー面１２ａと、底面１２ｂと、一対の側面１２ｃ，１２ｄとを有する。カバー面１２ａと底面１２ｂは互いに対向し、一対の側面１２ｃ，１２ｄは互いに対向する。
【００１３】
筒状をなす筐体１２は、長手方向両端部に第１開口１３ａ及び第２開口１３ｂ（図５参照）を有する。第１蓋部材１４ａは、第１開口１３ａを塞いだ状態で筐体１２に固定される。第２蓋部材１４ｂは、第２開口１３ｂを塞いだ状態で筐体１２に固定される。これにより、照明装置１０は、筐体１２と第１及び第２蓋部材１４ａ，１４ｂとによって、扁平な直方体状に形成されている。
【００１４】
筐体１２は、例えば、ポリカーボネート等の樹脂材料を押出成形することによって一体に形成される。或いは、筐体１２は、複数の部材で構成されてもよい。具体的には、筐体１２は、カバー面１２ａと一対の側面１２ｃ，１２ｄとが一体に成形されてもよく、これと平板状の底面１２ｂとが例えば接着、ネジ留め、嵌合等によって一体化されてもよい。或いは、筐体１２は、底面１２ｂと一対の側面１２ｃ，１２ｄとが一体に成形され、これと平板状のカバー面１２ａとが例えば接着、ネジ留め、嵌合等の固定手段によって組み合わされて一体化されてもよい。
【００１５】
また、筐体１２は、透光部を有する。より詳しくは、筐体１２のうち少なくともカバー面１２ａは、内部に収容した基板上の発光部から発せられる光を拡散して外部に出射する拡散板として機能する。また、出射面を広くして照明機能を高めるために、一対の側面１２ｃ，１２ｄのうち少なくとも一方が、カバー面１２ａと同様に、拡散機能を有する透光部としてもよい。
【００１６】
筐体１２において一対の側面１２ｃ，１２ｄには、長手方向Ｘの端部近傍に係止穴１６がそれぞれ形成されている。係止穴１６には、第１及び第２蓋部材１４ａ，１４ｂに形成された係止部４７（図４参照）が係止されることで、第１及び第２蓋部材１４ａ，１４ｂが筐体１２に固定される。各蓋部材１４ａ，１４ｂの構成については図４を参照して後述する。
【００１７】
図１に示すように、照明装置１０の長手方向一端に固定された第１蓋部材１４ａには、第１コネクタ１８が設けられている。第１コネクタ１８は、２本の金属丸棒からなるピン１８ａ，１８ｂで構成されるオス型コネクタである。２本のピン１８ａ，１８ｂは、幅方向Ｙに所定の間隔を空けて配置され、第１蓋部材１４ａの表面から互いに平行に且つ長手方向Ｘに突出している。
【００１８】
これに対し、図２に示すように、照明装置１０の長手方向他端に固定された第２蓋部材１４ｂには、第２コネクタ２０が設けられている。第２コネクタ２０は、メス型コネクタであり、第１コネクタ１８の２本のピン１８ａ，１８ｂが挿入される２つの孔２０ａ，２０ｂを含む。第２蓋部材１４ｂの２つの孔２０ａ，２０ｂの内側には、金属円筒端子２２（図３参照）が配設されている。
【００１９】
このように照明装置１０は、一端に第１コネクタ１８が設けられ、他端に第２コネクタ２０が設けられていることから、第１及び第２コネクタ１８，２０の嵌合により複数の照明装置１０を連結して使用することができる。
【００２０】
図１及び図２に示すように、第１及び第２蓋部材１４ａ，１４ｂの幅方向両側の下端部には、略Ｌ字状の側面形状を有する２つの鉤部によって一対の溝１９が形成されている。これらの溝１９は、筐体１２において底面１２ｂから突出する各側面１２ｃ，１２ｄの下端部内面にも長手方向Ｘに延伸してそれぞれ形成されている。
【００２１】
図２に示すように、照明装置１０は、例えば金属板を曲げ加工等して作製される取付部材２によって壁や天井などに設置される。取付部材２は、例えば木ネジ３や釘等によって壁材や天井材に取り付けられる。取付部材２は、幅方向Ｙの両端がＬ字状に折り曲げられて、幅方向外側に張り出した一対の張出部４を有する。照明装置１０は、この取付部材２の一対の張出部４を上記一対の溝１９に嵌め込んでスライドさせる。そして、照明装置１０は、例えば、取付部材２に取り付けた固定部材（図示せず）によって所望の位置に固定される。
【００２２】
図３は、図１の照明装置１０に含まれる筐体１２のカバー面１２ａを取り除いた状態で示す斜視図である。図４は、蓋材１５を示す拡大斜視図である。
【００２３】
図３に示すように、筐体１２内には光源基板３０が収容されている。光源基板３０は、それぞれ、長尺状の第１基板３０ａ及び第２基板３０ｂを含む。第１基板３０ａ及び第２基板３０ｂは、それぞれ、筐体１２の底面１２ｂの約半分程度の長さを有し、底面１２ｂよりも少し小さい幅を有する。
【００２４】
また、第１基板３０ａ及び第２基板３０ｂ上には、複数の発光部３２がそれぞれ実装されている。本実施形態では、発光部３２は発光ダイオード素子（ＬＥＤ）によって好適に構成される。各発光部３２は、長手方向に沿って所定ピッチで配置されている。本実施形態では、各基板３０ａ，３０ｂの幅方向中心よりも少し側面１２ｃに寄った位置に配列されている。なお、発光部３２は、ＬＥＤ以外の発光素子、例えば、有機ＥＬ素子、半導体レーザ素子等で構成されてもよい。
【００２５】
第１基板３０ａ上であって第１蓋部材１４ａの近傍位置には、基板コネクタ３４ａが例えばリフロー半田付け等によって実装されている。基板コネクタ３４ａは、第１基板３０ａの表面に形成されたパターン配線（図示せず）を介して第１基板３０ａ上の各発光部３２に電気的に接続されている。また、基板コネクタ３４ａは、２本のリード線３６ａ，３６ｂを介して第１蓋部材１４ａの第１コネクタ１８に電気的に接続されている。
【００２６】
また、第１基板３０ａは、第１蓋部材１４ａとは反対側に位置する端部に、第１端子部３８を有する。第１端子部３８は、一対の第１端子３８ａ，３８ｂで構成される。本実施形態では、第１端子部３８は、凹形状の端子部である。第１端子３８ａ，３８ｂは、第１基板３０ａの幅方向Ｙの両側端部近傍に配設されている。このような位置に一対の第１端子３８ａ，３８ｂを配設することで、照明装置１０の長手方向中央領域において発光部３２から発せられた光が第１端子３８ａ，３８ｂで遮られるのを抑制できる。また、第１端子部３８ｂは、第１基板３０ａのパターン配線（図示せず）を介して基板コネクタ３４ａに電気的に接続されている。
【００２７】
第２基板３０ｂ上であって第２蓋部材１４ｂの近傍位置には、基板コネクタ３４ｂが例えばリフロー半田付け等によって実装されている。基板コネクタ３４ｂは、第２基板３０ｂの表面に形成されたパターン配線（図示せず）を介して第２基板３０ｂ上の各発光部３２に電気的に接続されている。また、基板コネクタ３４ｂは、２本のリード線３６ｂを介して第２蓋部材１４ｂの第２コネクタ２０に電気的に接続されている。
【００２８】
また、第２基板３０ｂは、第２蓋部材１４ｂとは反対側に位置する端部に、第２端子部４０を有する。第２端子部４０は、一対の第２端子４０ａ，４０ｂで構成される。本実施形態では、第２端子部４０は、凸形状の端子部である。第２端子４０ａ，４０ｂは、第１基板３０ａの第１端子３８ａ，３８ｂと同様に、第２基板３０ｂの幅方向Ｙの両側端部近傍に配設されている。これにより、第１基板３０ａの第１端子３８ａ，３８ｂと嵌合して電気的接続が可能になるとともに、照明装置１０の長手方向中央領域における遮光を抑制している。また、第２端子部４０は、第２基板３０ｂのパターン配線（図示せず）を介して基板コネクタ３４ｂに電気的に接続されている。
【００２９】
第１基板３０ａの第１端子部３８と、第２基板３０ｂの第２端子部４０は、筐体１２の長手方向両端の第１及び第２開口１３ａ，１３ｂから第１及び第２基板３０ａ，３０ｂがそれぞれ挿入されて押し込まれることで、互いに嵌合して連結される。このとき、第１基板３０ａ及び第２基板３０ｂの各端部同士の間には、例えば数ｍｍ程度の隙間ｇが形成されるように設計されている。このように隙間ｇが空くことで、第１端子部３８と第２端子部４０とが完全に嵌合することができ、接続状態が不安定になるのを抑制できる。
【００３０】
本実施形態では、第１及び第２基板３０ａ，３０ｂのいずれも、各発光部３２に印加する電圧を調整するための電源回路を搭載していない。そのため、各基板３０ａ，３０ｂに実装される基板コネクタ以外の電気部品を少なくすることができ、照明装置１０の厚みを薄くして小型化することができる。
【００３１】
照明装置１０には、各発光部３２を点灯発光させるための直流電圧が外部から供給される。より詳しくは、照明装置１０の一方端部にある第１コネクタ１８が外部の電源回路に接続されて、直流電圧が照明装置１０に供給される。そして、直流電圧は、第１コネクタ１８、リード線３６ａ，３６ｂ、及び、第１基板３０ａ上のパターン配線を介して、第１基板３０ａの各発光部３２に印加される。これにより、各発光部３２が点灯発光する。
【００３２】
図４に示すように、第１蓋部材１４ａ及び第２蓋部材１４ｂは、同じ蓋材１５を用いて構成できる。蓋材１５は、蓋板４２と、一対の端子保持部４４と、一対の係止腕部４６とを有する。蓋材１５は、例えば、例えば、ポリカーボネート等の樹脂材料を射出成形することで一体に形成される。
【００３３】
蓋板４２は、筐体１２の第１及び第２開口１３ａ，１３ｂを塞いだ状態で配置される。各端子保持部４４は、蓋板４２の裏面（照明装置１０の内側面）から円筒状に突出して形成され、その中心部に貫通孔４５を有する。第１コネクタ１８では、その貫通孔４５内にピン１８ａ，１８ｂの基端部が例えば圧入等されて固定される。ピン１８ａ，１８ｂの基端部は、第１蓋部材１４ａから外側に突出するピン１８ａ，１８ｂの先端部より大径に形成される。他方、第２コネクタ２０では、上記貫通孔４５内に金属円筒端子２２が圧入等されて固定される。金属円筒端子２２は、端子保持部４４に固定された状態で、内側に挿入された第１コネクタ１８のピン１８ａ，１８ｂの外周面と接触可能な内径を有する。
【００３４】
一対の係止腕部４６は、蓋板４２の幅方向端部近傍の裏面から長手方向Ｘに沿って延伸して形成されている。係止腕部４６の先端には、上面視で略三角形状をなす係止部４７が形成されている。係止部４７は、テーパー面４７ａと、段部４７ｂとを有する。一対の係止腕部４６は、蓋材１５が筐体１２の第１及び第２開口１３ａ，１３ｂに取り付けられるとき、係止部４７のテーパー面４７ａが開口周縁に当接することで互いに接近する方向に弾性変形して撓む。そして、蓋板４２が筐体１２の長手方向端面に当接する位置まで蓋材１５が押し込まれたとき、係止腕部４６の弾性復元力によって、係止部４７の段部４７ｂが筐体１２の側面１２ｃ，１２ｄの係止穴１６に嵌まり込む。これにより、蓋材１５（すなわち、第１及び第２蓋部材１４ａ，１４ｂ）が筐体１２の端部に固定される。このように本実施形態では、第１及び第２蓋部材１４ａ，１４ｂを押し込むだけで筐体１２にワンタッチで容易に組み付けることができる。
【００３５】
なお、筐体１２から第１蓋部材１４ａや第２蓋部材１４ｂを取り外すとき、係止穴１６の外側から細い工具等で係止部４７を内側に押し込んで係止穴１６に対する段部４７ｂの係合を解除すれば良い。
【００３６】
再び図３を参照すると、第１基板３０ａの第１端子部３８と第２基板３０ｂの第２端子部４０とが嵌合連結されたとき、第１基板３０ａ及び第２基板３０ｂが電気的に接続される。第１基板３０ａの基板コネクタ３４ａは、基板上のパターン配線（図示せず）を介して第１端子部３８に電気的に接続されている。したがって、第１コネクタ１８からリード線３６ａ，３６ｂを介して基板コネクタ３４ａに直流電圧が供給されると、互いに連結された第１及び第２端子部３８，４０を介して、第２基板３０ｂにも直流電圧が供給される。これにより、第２基板３０ｂ上に実装された各発光部３２が点灯発光する。
【００３７】
また、このとき、第１及び第２端子部３８，４０から基板コネクタ３４ｂ、リード線３６ｂを介して第２コネクタ２０に直流電圧が供給される。したがって、第２コネクタ２０を介して別の照明装置１０が接続されている場合には、当該別の照明装置１０も点灯する。
【００３８】
図５は、筐体１２に第１及び第２基板３０ａ，３０ｂが挿入される様子を示す図である。図６は、照明装置１０の製造方法を示すフローチャートである。
【００３９】
まず、照明装置１０を組み立てて製造するとき、筐体１２、第１及び第２基板３０ａ，３０ｂ、第１及び第２蓋部材１４ａ，１４ｂを準備する（図６のステップＳ１０）。このとき、第１基板３０ａの基板コネクタ３４ａには、リード線３６ａを介して第１蓋部材１４ａの第１コネクタ１８を予め接続しておく。また、第２基板３０ｂの基板コネクタ３４ｂには、リード線３６ｂを介して第２蓋部材１４ｂの第２コネクタ２０を予め接続しておく。
【００４０】
続いて、図５に示すように、第１コネクタ１８とは反対側の第１基板３０ａの端部を第１開口１３ａから筐体１２内に矢印Ａ方向へ挿入する（図６のステップＳ１２）。また、第２コネクタ２０とは反対側の第２基板３０ｂの端部を第２開口１３ｂから筐体１２内に矢印Ｂ方向へ挿入する（ステップＳ１４）。このとき、第１基板３０ａは第１蓋部材１４ａの蓋板４２の裏面によって押し込まれ、第２基板３０ｂは第２蓋部材１４ｂの蓋板４２の裏面によって押し込まれる。なお、これらの第１基板挿入工程と第２基板挿入工程は、同時に実行されてもよい。
【００４１】
そして、第１及び第２基板３０ａ，３０ｂを筐体１２内にしっかりと押し込むことで、第１基板３０ａの第１端子部３８と第２基板３０ｂの第２端子部４０とを電気的に且つ機械的に接続する（図６のステップＳ１６）。このように第１基板３０ａと第２基板３０ｂとが連結されたとき、第１蓋部材１４ａ及び第２蓋部材１４ｂは、筐体１２の長手方向両端部に係止された状態で固定される（図６のステップＳ１８）。これにより、照明装置１０の組立て及び製造が終了する。なお、上記第１及び第２端子部３８ａ，３８ｂ，４０ａ，４０ｂの接続と、第１及び第２蓋部材１４ａ，１４ｂの固定とは、同時に実行されてもよい。
【００４２】
上述したように本実施形態の一態様である照明装置１０は、両端に第１開口１３ａ及び第２開口１３ｂを有し、透光部（カバー面、側面）１２ａ，１２ｃ，１２ｄを有する長尺筒状の筐体１２と、筐体１２内に収容され、表面に複数の発光部３２がそれぞれ実装された長尺状の第１基板３０ａ及び第２基板３０ｂとを備える。また、照明装置１０は、第１開口１３ａを塞いだ状態で筐体１２に固定され、第１基板３０ａの発光部３２と電気的に接続された第１コネクタ１８が設けられる第１蓋部材１４ａと、第２開口１３ｂを塞いだ状態で筐体１２に固定され、第２基板３０ｂの発光部３２と電気的に接続された第２コネクタ２０が設けられる第２蓋部材１４ｂとを更に備える。そして、第１及び第２基板３０ａ，３０ｂは、第１及び第２蓋部材１４ａ，１４ｂとは反対側に位置する端部に第１及び第２端子部３８，４０をそれぞれ有し、第１及び第２端子部３８，４０が連結されることによって電気的に接続されている。
【００４３】
この構成によれば、第１及び第２基板３０ａ，３０ｂを筐体１２に挿入してから、コネクタ１８，２０と第１及び第２基板３０ａ，３０ｂとの接続作業や、第１及び第２基板３０ａ，３０ｂへのコネクタ組付け作業を行う必要がない。したがって、照明装置１０の組立作業を容易化できる。また、第１コネクタ１８の基端部及び第２コネクタ２０の全体を筐体１２内に収容して配置することができるので、照明装置１０において非発光部となる各蓋部材１４ａ，１４ｂの長さ（より詳しくは、蓋板４２の厚み）を短くできる。
【００４４】
また、本実施形態の照明装置１０では、第１及び第２基板３０ａ，３０ｂの第１及び第２端子部３８，４０は、それぞれ一対の端子３８ａ，３８ｂ，４０ａ，４０ｂで構成され、発光部３２を挟んで第１及び第２基板３０ａ，３０ｂの幅方向両側に配置されているのが好ましい。この構成によれば、各端子３８ａ，３８ｂ，４０ａ，４０ｂの体格を小さくし易く、幅方向に隣接して配置されている発光部３２からの光を遮り難くすることができ、照明装置１０の光度むらの発生を抑制できる。
【００４５】
本実施形態の別態様である照明装置１０の製造方法は、両端に第１開口１３ａ及び第２開口１３ｂを有し、透光部（カバー面、側面）１２ａ，１２ｃ，１２ｄを有する長尺状の筐体１２、表面に複数の発光部３２がそれぞれ実装された長尺状の第１基板３０ａ及び第２基板３０ｂ、第１基板３０ａの発光部３２と電気的に接続された第１コネクタ１８が設けられる第１蓋部材１４ａ、及び、第２基板３０ｂの発光部３２と電気的に接続された第２コネクタ２０が設けられる第２蓋部材１４ｂを準備する準備工程（ステップＳ１０）を、まず含む。
【００４６】
続いて、上記製造方法は、第１コネクタ１８とは反対側の第１基板３０ａの端部を第１開口１３ａから筐体１２内に挿入する第１基板挿入工程（ステップＳ１２）と、第２コネクタ２０とは反対側の第２基板３０ｂの端部を第２開口１３ｂから筐体１２内に挿入する第２基板挿入工程（ステップＳ１４）とを含む。
【００４７】
そして、上記製造方法は、筐体１２内において、第１基板３０ａの端部に設けた第１端子部３８と、第２基板３０ｂの端部に設けた第２端子部４０とを電気的に接続する接続工程（ステップＳ１６）を含む。
【００４８】
この製造方法によれば、照明装置１０の組立作業を容易化できる。また、非発光部となる蓋部材１４ａ，１４ｂの長さ（より詳しくは、蓋板４２の厚み）を短くした照明装置１０を製造できる。
【００４９】
次に、図７及び図８を参照して、変形例の照明装置１０Ａについて説明する。図７は、弾性付勢部４８を備えた蓋材１５Ａの拡大斜視図である。図８は、図７の蓋材１５Ａの弾性付勢部４８が基板端部を押圧した状態を示す図である。変形例の照明装置１０Ａでは、第１蓋部材１４ａ及び第２蓋部材１４ｂを構成する蓋材１５Ａの構成が相違し、他の構成は上記同一である。したがって、上述した照明装置１０と同一の構成要素には、同一の符号を付して説明を省略する。
【００５０】
図７に示すように、第２蓋部材１４ｂを構成する蓋材１５Ａにおいて蓋板４２の裏面には、弾性付勢部４８が設けられている。ここでは、弾性付勢部４８は、蓋板４２と一体に樹脂成形された例が示される。弾性付勢部４８は、上面視で２つの端子保持部４４の間に配置される。弾性付勢部４８の基端部は、蓋板４２に連結されている。また、弾性付勢部４８は、途中で略Ｌ字状に曲がって、先端部が幅方向Ｙに対して傾斜した向きに延伸しており、先端部に対する蓋板４２側へ向かう押圧力に対して弾性変形が可能になっている。
【００５１】
また、この変形例の照明装置１０Ａでは、第２基板３０ｂの長さが、筐体１２の底面１２ｂの長さの半分よりも短く形成されている。そのため、図８に示すように、照明装置１０Ａが製造される際に第２蓋部材１４ｂが筐体１２に組み付けられるとき、弾性付勢部４８の先端部が第２基板３０ｂの長手方向Ｘの端部に当接する。
【００５２】
照明装置１０Ａの組立時に、製造誤差等に起因して第１及び第２基板３０ａ，３０ｂの端部同士が照明装置１０Ａの長手方向中央部で干渉した場合、上述した照明装置１０の場合には第２蓋部材１４ｂを所定位置に取り付けできないことが起こり得る。これに対し、変形例の照明装置１０Ａでは、そのような場合でも、弾性付勢部４８が破線位置から実線位置に変形することによって、製造誤差を吸収することができる。
【００５３】
なお、図８では、第２蓋部材１４ｂについて例示したが、弾性付勢部４８は第１蓋部材１４ａ及び第２蓋部材１４ｂの少なくとも一方に設けられていれば良い。
【００５４】
上述したように変形例の照明装置１０Ａでは、第１及び第２蓋部材１４ａ，１４ｂの少なくとも一方が、第１及び第２基板３０ａ，３０ｂの少なくとも一方の端部を長手方向に押圧する弾性付勢部４８を有する。この構成によれば、第１及び第２基板３０ａ，３０ｂ等の製造誤差を吸収したうえで、筐体１２に第１及び第２蓋部材１４ａ，１４ｂを組み付けることができる。
【００５５】
なお、本開示の照明装置及びその製造方法は、上述した実施形態及び変形例に限定されるものではなく、本願の特許請求の範囲に記載された事項及びその均等な範囲内で種々の変更や改良が可能である。
【００５６】
例えば、上記においては、電源回路を備えていない照明装置１０，１０Ａについて説明したが、これに限定されるものではなく、照明装置の外部から供給される交流電圧を発光部駆動用の直流電圧に変換する電源回路を基板に実装してもよい。この場合、コンデンサ、抵抗、スイッチング素子等の電気部品が多くなるため、これらの電子部品による遮光を抑制すべく、発光部の配列を基板の幅方向一端寄りに配置し、上記電気部品を光源基板３０の幅方向他端寄りに配置するのが好ましい。また、この場合、筐体１２内の空間を発光部配置領域と電源回路配置領域とを分ける仕切板を、発光部実装表面に対して鈍角を形成するように傾斜させて配置し、この仕切板の発光部３２側の壁面を反射面として用いてもよい。これにより、発光部３２から発せられた光を照明装置からより効率良く出射することができ、照明効率の低下を抑制できる。
【００５７】
また、上述した照明装置１０，１０Ａでは、第１基板３０ａと第２基板３０ｂとを電気的に接続する第１及び第２端子部３８，４０を各一対の第１及び第２端子３８ａ，３８ｂ，４０ａ，４０ｂで構成する場合について説明したが、これに限定されるものではない。第１基板３０ａ及び第２基板３０ｂに端子部を１つずつ設け、各１つの端子部によって第１及び第２基板３０ａ，３０ｂを電気的に接続してもよい。
【符号の説明】
【００５８】
２  取付部材、３  木ネジ、４  張出部、１０，１０Ａ  照明装置、１２  筐体、１２ａ  カバー面、１２ｂ  底面、１２ｃ，１２ｄ  側面、１３ａ  第１開口、１３ｂ  第２開口、１４ａ  第１蓋部材、１４ｂ  第２蓋部材、１５，１５Ａ  蓋材、１６  係止穴、１８  第１コネクタ、１８ａ，１８ｂ  ピン、１９  溝、２０  第２コネクタ、２０ａ，２０ｂ  孔、２２  金属円筒端子、３０  光源基板、３０ａ  第１基板、３０ｂ  第２基板、３２  発光部、３４ａ，３４ｂ  基板コネクタ、３６ａ，３６ｂ  リード線、３８  第１端子部、３８ａ，３８ｂ  第１端子、４０  第２端子部、４０ａ，４０ｂ  第２端子、４２  蓋板、４４  端子保持部、４５  貫通孔、４６  係止腕部、４７  係止部、４７ａ  テーパー面、４７ｂ  段部、４８  弾性付勢部、ｇ  隙間。
【図１】
2018137190.tif 000003
【図２】
2018137190.tif 000004
【図３】
2018137190.tif 000005
【図４】
2018137190.tif 000006
【図５】
2018137190.tif 000007
【図６】
2018137190.tif 000008
【図７】
2018137190.tif 000009
【図８】
2018137190.tif 000010